(57)【特許請求の範囲】
【請求項１】
左右一対の陳列台と、上記両陳列台の前側に配設される広告板と、背板とを備え、上記両陳列台をその相対峙する内側面同士を互いに隣接させるようにして配設した状態で、右側陳列台の後面上端部に背板の右側部分を固定するとともに左側陳列台の後面上端部に背板の左側部分を固定することにより上記両陳列台を背板で連結し、上記背板の左右両側部分をこれら両側部分を連結する折り曲げ線を軸心として後方に折り曲げ自在に形成し、上記広告板を、平板状の本体と、この本体の裏面に設けられたスライド手段とで構成し、このスライド手段を、左右方向に延びる左右一対のレール用穴が形成されたケースと、上記各レール用穴にスライド自在に保持されるスライド体と、これら各スライド体に固定された係合片とで構成し、上記両陳列台の前面部の内側端近傍に、上記広告板の各係合片に係合する係合部を設け、上記隣接状態で上記広告板の各係合片と上記両陳列台の係合部とを係合させて上記両陳列台の前側で広告板が正面を向くようにし、この隣接状態から上記両陳列台を、右側陳列台をその後壁の左側縁部を軸心として右斜めに向けるとともに左側陳列台をその後壁の右側縁部を軸心として左斜めに向ける離間状態に状態変動可能にし、この状態変動の際に上記両陳列台の隣接状態から離間状態への動きに対応して、上記各スライド体が上記各レール用穴に沿ってスライドし、これにより、上記広告板が正面を向いた状態に保持されるように構成したことを特徴とする陳列装置。
【請求項２】
上記両陳列台の後面上端部に、陳列品吊り下げフックが取り付けられた背板が着脱自在に固定されている請求項１記載の陳列装置。
【発明の詳細な説明】
【０００１】
【発明の属する技術分野】
本発明は、化粧料（テスター用化粧料等を含む）等の各種の陳列品を店頭等に陳列する陳列装置に関するものである。
【０００２】
【従来の技術】
従来から、口紅等の各種化粧料を店頭等に陳列する場合には、図２６に示すような陳列台６１がよく用いられている。この陳列台６１は、ひな壇形に形成されており、各段の上面に多数のテスター品挿通孔６２が穿設されている。そして、サンプル保持体６３の下側に口紅等のテスター品（試供品）６４が保持され、上側に色見本ダミー６５が取着されたテスター化粧品６６を多数（各色ごとに）用意し、上記テスター品挿通孔６２に、上記テスター化粧品６６の下部（テスター品６４の部分）を挿通させて陳列台６１上に載置し、多数並べて陳列するようにしている。
【０００３】
一方、同じ店頭等でも、他の化粧料の陳列スペースとの関係で、スペースに余裕がある場合には、上記陳列台６１を２個用意し、両陳列台６１を正面を向けて陳列するだけではなく、両陳列台６１を斜めに向けて（すなわち、右側の陳列台６１を右斜めに向け、左側の陳列台６１を左斜めに向けて）陳列し、左右両側から見やすくすることがある。また、陳列の形態を変えて顧客の注意をひくためにも、両陳列台６１を正面を向けて陳列したり、斜めに向けて陳列したりすることこともよく行われている。このとき、別々の陳列台６１を斜めに向けて陳列すると、両陳列台６１が前後にずれたり、左右に離れたりして、効果的な陳列が行えなくなるため、左右両側に斜めに向けた２つの陳列台を一体成形してなる大型陳列台（図示せず）が製作されている。
【０００４】
【発明が解決しようとする課題】
しかしながら、上記のような陳列台６１や大型陳列台を用いる場合には、これらを別々に製作しなければならず、製作費が高価になり、コストアップにつながる。
【０００５】
本発明は、このような事情に鑑みなされたもので、製作費が安価で耐久性に優れた陳列装置の提供をその目的とする。
【０００６】
【課題を解決するための手段】
上記の目的を達成するため、本発明の陳列装置は、左右一対の陳列台と、上記両陳列台の前側に配設される広告板と、背板とを備え、上記両陳列台をその相対峙する内側面同士を互いに隣接させるようにして配設した状態で、右側陳列台の後面上端部に背板の右側部分を固定するとともに左側陳列台の後面上端部に背板の左側部分を固定することにより上記両陳列台を背板で連結し、上記背板の左右両側部分をこれら両側部分を連結する折り曲げ線を軸心として後方に折り曲げ自在に形成し、上記広告板を、平板状の本体と、この本体の裏面に設けられたスライド手段とで構成し、このスライド手段を、左右方向に延びる左右一対のレール用穴が形成されたケースと、上記各レール用穴にスライド自在に保持されるスライド体と、これら各スライド体に固定された係合片とで構成し、上記両陳列台の前面部の内側端近傍に、上記広告板の各係合片に係合する係合部を設け、上記隣接状態で上記広告板の各係合片と上記両陳列台の係合部とを係合させて上記両陳列台の前側で広告板が正面を向くようにし、この隣接状態から上記両陳列台を、右側陳列台をその後壁の左側縁部を軸心として右斜めに向けるとともに左側陳列台をその後壁の右側縁部を軸心として左斜めに向ける離間状態に状態変動可能にし、この状態変動の際に上記両陳列台の隣接状態から離間状態への動きに対応して、上記各スライド体が上記各レール用穴に沿ってスライドし、これにより、上記広告板が正面を向いた状態に保持されるように構成したという構成をとる。
【０００７】
すなわち、本発明の陳列装置は、左右一対の陳列台と、上記両陳列台の前側に配設される広告板と、背板とを備えており、上記両陳列台をその相対峙する内側面同士を互いに隣接させるようにして配設した状態で、右側陳列台の後面上端部に背板の右側部分を固定するとともに左側陳列台の後面上端部に背板の左側部分を固定することにより上記両陳列台を背板で連結し、上記背板の左右両側部分をこれら両側部分を連結する折り曲げ線を軸心として後方に折り曲げ自在に形成している。また、上記両陳列台を隣接状態から、右側陳列台をその後壁の左側縁部を軸心として右斜めに向けるとともに左側陳列台をその後壁の右側縁部を軸心として左斜めに向ける離間状態に状態変動可能にしている。したがって、上記両陳列台を隣接状態（例えば、上記両陳列台を正面を向けた状態）で陳列するだけではなく、離間状態（上記両陳列台を斜め横に向けた状態）にして陳列することもでき、この離間状態では、左右両側からも見やすくなる。また、上記両陳列台を背板で連結しているため、上記隣接状態であっても、離間状態であっても、両陳列台が前後にずれたり、左右に離れたりすることがない。しかも、上記広告板を、平板状の本体と、この本体の裏面に設けられたスライド手段とで構成し、このスライド手段を、左右方向に延びる左右一対のレール用穴が形成されたケースと、上記各レール用穴にスライド自在に保持されるスライド体と、これら各スライド体に固定された係合片とで構成し、上記両陳列台の前面部の内側端近傍に、上記広告板の各係合片に係合する係合部を設け、上記隣接状態で上記広告板の各係合片と上記両陳列台の係合部とを係合させて上記両陳列台の前側で広告板が正面を向くようにしている。そして、上記状態変動の際に上記両陳列台の隣接状態から離間状態への動きに対応して、上記各スライド体が上記各レール用穴に沿ってスライドし、これにより、上記広告板が正面を向いた状態に保持されるように構成しているため、上記両陳列台の前面部に広告板を取り付けた状態で、両陳列台を隣接状態から離間状態にスムーズに状態変動させることができる。しかも、上記両陳列台の前面部の内側端近傍に、上記広告板の各係合片に係合する係合部を設けているため、上記状態変動の際に、上記係合部間および上記係合片間に上記両陳列台の一部が割り込んでくることがなく、広告板が直線状態を保持している（すなわち、湾曲することがない）。したがって、上記状態変動の際に、上記係合片を固定するスライド体の移動がスムーズに行われ、上記状態変動が非常にスムーズになる。
【０００８】
本発明において、上記両陳列台の後面上端部に、陳列品吊り下げフックが取り付けられた背板が着脱自在に固定されている場合には、上記背板を両陳列台の後面上端部から取り外し、壁面等に吊り下げることにより、吊り下げタイプとして使用することができる。
【０００９】
【発明の実施の形態】
つぎに、本発明の実施の形態を図面にもとづいて詳しく説明する。
【００１０】
図１は本発明の陳列装置の一実施の形態を示している。図において、１，２は左右一対の陳列台で、３は上記両陳列台１，２の後面上端部に取り付けられた背板で、４は上記背板３の上端部に取り付けられた上面広告板で、５は上記両陳列台１，２の前面に取り付けられた前面広告板である。６は上記背板３の左右両側に配設された左右一対のバナーであり、上記背板３の左右両側から突出する左右一対の支受棒７に取り付けられている。また、８は上記両陳列台１，２に陳列された化粧品等の陳列品で、９は上記背板３に吊り下げられた化粧品等の陳列品である。
【００１１】
上記両陳列台１，２は、図２に示すように、左右一対の支受台部１１，１２と、これら両支受台部１１，１２の上部に設けられる左右一対のトレイ１３，１４とからなる。上記両支受台部１１，１２のうち、右側支受台部１１は、上面開口部（前端縁より後端縁のほうが高く形成されている）を有する有底角筒状の箱体１５（図３参照）と、十字状支受板１７（図４参照）とを備えており、上記箱体１５の上面開口部の前端縁からＬ字状フラップ１６が突設されているとともに、上記箱体１５の前壁の中央左端部分に上下一対の切り込み１５ａが形成されている。そして、上記箱体１５の底壁（図示せず）に十字状支受板１７を載置したのち、上記箱体１５の上部空間にＬ字状フラップ１６を位置決めし、Ｌ字状フラップ１６のＬ字状の横片１６ａを箱体１５の前壁の内周面に沿わせるとともに、Ｌ字状の縦片１６ｂを十字状支受板１７の上面に沿わせ、これにより、右側支受台部１１を作製することができる（図５参照）。一方、左側支受台部１２は、右側支受台部１１と同様構造であるが、左側支受台部１２に用いる箱体１８（図６参照）には、その前壁の中央右端部分に上下一対の切り込み１８ａが形成されている。そして、このようにして作製された両支受台部１１，１２の縦片１６ｂ上に上記両トレイ１３，１４が載置される。
【００１２】
上記両トレイ１３，１４のうち、右側トレイ１３（図７参照）は、図８に示すように、トレイ本体２０に２枚の底上げパッド２１，ひな段２２，トレイパッド２３をこの順に組み付けたもので構成されており、左側トレイ１４（図９参照）は、図１０に示すように、トレイ本体２５に２枚の底上げパッド２６，ひな段２７，トレイパッド２８，スリーブ２９をこの順に組み付けたもので構成されている。また、上記両トレイ本体２０，２５には、その後壁に左右一対のプラスチックねじ挿通穴２０ａ，２５ａが穿設されている。
【００１３】
上記背板３には、図１１に示すように、その中央に折り曲げ線３１が形成されており、この折り曲げ線３１を軸心としてその左右両側部分３ａ，３ｂが後方に向かって折り曲げ自在になっている。また、上記左右両側部分３ａ，３ｂには、左右一対のフック取り付け穴３２が上下２段に穿設されており、その下側に、上記両トレイ１３，１４のプラスチックねじ挿通穴２０ａ，２５ａに対応する左右一対のプラスチックねじ挿通穴３３が穿設されている。また、上記左右両側部分３ａ，３ｂの上端面から切り目３４が垂直状に形成されており、各切り目３４の左右両側に紐挿通穴３５が穿設されている。
【００１４】
上記上面広告板４は、図１２〜図１４に示すように、平板状の広告板部３６とコ字状の固定板部３７とからなり、固定板部３７のコ字状の中央片３７ａが広告板部３６の裏面に接着固定されている。また、固定板部３７のコ字状の相対向する両辺３７ｂは内側に向かって折り曲げ自在であり、その下面に、上記背板３の切り目３４に着脱自在に係合する切り目３８（図１５参照）が垂直状に形成されている。このような上面広告板４は、上記背板３の左右両側部分３ａ，３ｂが後方に向かって折り曲げられた場合にも、図１６に示すように、上記両辺３７ｂが内側に折れ曲がるため、広告板部３６は湾曲することなく、正面を向いた状態に保持される。
【００１５】
上記前面広告板５（図１７参照）は、平板状の本体４１と、この本体４１の裏面に設けられたスライド手段４２（図１８参照）とからなる。このスライド手段４２は、左右一対のレール用穴４３が上下２段に形成されたケース４４（図１９参照）と、上記各レール用穴４３をスライドするスライド体４５と、これら各スライド体４５に固定された係合片４６とからなり、これら各係合片４６が上記両陳列台１，２の両支受台部１１，１２の切り込み１５ａ，１８ａに着脱自在に係合する（図２１参照）。また、上記各スライド体４５は、上記ケース４４内にスライド自在に配設される平板状の保持部４７と、この保持部４７から突設されレール用穴４３にスライド自在に挿通される連結部４８と、この連結部４８に固定されるボタン４９とからなり、このボタン４９に上記係合片４６が固定されている。このようなスライド手段４２の４つの係合片４６のうち、右側の上下一対の係合片４６が右側陳列台１の上下一対の切り込み１５ａに係合し、左側の上下一対の係合片４６が左側陳列台２の上下一対の切り込み１８ａに係合する。
【００１６】
上記の構成において、陳列装置を組み立てる場合には、まず、図２０に示すように、トレイ本体２０，２５のプラスチックねじ挿通穴２０ａ，２５ａと背板３のプラスチックねじ挿通穴３３とを位置合わせし、プラスチックねじ（図示せず）により上記両トレイ本体２０，２５に背板３を固定する。ついで、両支受台部１１，１２を正面に向け両支受台部１１，１２の相対峙する内側面同士を互いに当接させた状態で、上記両支受台部１１，１２の縦片１６ｂに両トレイ本体２０，２５を載置する。つぎに、各トレイ本体２０，２５に底上げパッド２１，２６、ひな段２２，２７、トレイパッド２３，２８、スリーブ２９を組み付け（図８および図１０参照）、両トレイ１３，１４を作製する。これにより、両陳列台１，２を作製することができる。この状態では、両陳列台１，２は隣接状態にあり、それぞれ正面を向いている。また、両陳列台１，２は背板３を介して連結されている。つぎに、前面広告板５のスライド体４５の４つの係合片４６を両陳列台１，２の４つの切り込み１５ａ，１８ａに位置決めし（図２１参照）、各係合片４６を各切り込み１５ａ，１８ａに差し込んだのち、下方に下げて固定する。つぎに、背板３の左右両側部分３ａ，３ｂの切り目３４と上面広告板４の固定板部３７の両辺３７ｂの切り目３８とを位置決めし（図２２参照）、背板３の両切り目３４に上面広告板４の両切り目３８を差し込み、固定する。つぎに、背板３のフック取り付け穴３２にフック５１を取り付ける。つぎに、バナー６を挿通した支受棒７を両面テープ５２等で背板３の左右両側に接着固定する（図２３参照）。このようにして、両陳列台１，２が正面を向いた陳列装置を作製することができる。
【００１７】
また、上記両陳列台１，２を左右に拡げる（離間状態にする）場合には、右側陳列台１を、その後壁の左側縁部を軸心として右斜めに向け、左側陳列台２を、その後壁の右側縁部を軸心として左斜めに向けることを行う。このとき、右側陳列台１の前壁の左側縁部および左側陳列台２の前壁の右側縁部は円弧状に動くが、前面広告板５は湾曲することなく、正面を向いた状態に保持される。また、スライド手段４２のスライド体４５がレール用穴４３をスムーズにスライドし、上記両陳列台１，２の向きの変更がスムーズに行える。また、上記両陳列台１，２の向きの変更により背板３も後方に折り曲げられるが、これに伴い、固定板部３７の両辺３７ｂが折れ曲がり（図１６参照）、広告板部３６は正面を向いた状態に保持される。
【００１８】
また、上記両陳列台１，２から両トレイ１３，１４を取り外し、カウンター陳列台として使用することもできる（図２４参照）。また、両トレイ１３，１４のトレイ本体２０，２５から背板３を取り外し、背板３の紐挿通穴３５に紐５３を挿通し、壁面（図示せず）に取り付けた被吊り下げ体５４に吊り下げて使用することもできる（図２５参照）。
【００１９】
このように、上記実施の形態では、両陳列台１，２を正面を向けた状態にすることも、左右に拡げた状態にすることもできるため、１種類の陳列装置を製作するだけでよく、製作費が安価になる。しかも、両陳列台１，２を左右に拡げる際に、その向きの変更がスムーズに行える。
【００２０】
なお、上記実施の形態では、両トレイ１３，１４に箱型の陳列品を載置しているが、これに限定するものではなく、両トレイ１３，１４に孔等を形成することにより、図２６に示すような口紅等のテスター品（試供品）６４を陳列することもできる。
【００２１】
【発明の効果】
以上のように、本発明の陳列装置によれば、左右一対の陳列台を隣接状態（例えば、上記両陳列台を正面を向けた状態）で陳列するだけではなく、離間状態（上記両陳列台を斜め横に向けた状態）にして陳列することもでき、この離間状態では、左右両側からも見やすくなる。また、上記両陳列台を背板で連結しているため、上記隣接状態であっても、離間状態であっても、両陳列台が前後にずれたり、左右に離れたりすることがない。しかも、上記広告板を、平板状の本体と、この本体の裏面に設けられたスライド手段とで構成し、このスライド手段を、左右方向に延びる左右一対のレール用穴が形成されたケースと、上記各レール用穴にスライド自在に保持されるスライド体と、これら各スライド体に固定された係合片とで構成し、上記両陳列台の前面部の内側端近傍に、上記広告板の各係合片に係合する係合部を設け、上記隣接状態で上記広告板の各係合片と上記両陳列台の係合部とを係合させて上記両陳列台の前側で広告板が正面を向くようにしている。そして、上記状態変動の際に上記両陳列台の隣接状態から離間状態への動きに対応して、上記各スライド体が上記各レール用穴に沿ってスライドし、これにより、上記広告板が正面を向いた状態に保持されるように構成しているため、上記両陳列台の前面部に広告板を取り付けた状態で、両陳列台を隣接状態から離間状態にスムーズに状態変動させることができる。しかも、上記両陳列台の前面部の内側端近傍に、上記広告板の各係合片に係合する係合部を設けているため、上記状態変動の際に、上記係合部間および上記係合片間に上記両陳列台の一部が割り込んでくることがなく、広告板が直線状態を保持している（すなわち、湾曲することがない）。したがって、上記状態変動の際に、上記係合片を固定するスライド体の移動がスムーズに行われ、上記状態変動が非常にスムーズになる。
【００２２】
本発明において、上記両陳列台の後面上端部に、陳列品吊り下げフックが取り付けられた背板が着脱自在に固定されている場合には、上記背板を両陳列台の後面上端部から取り外し、壁面等に吊り下げることにより、吊り下げタイプとして使用することができる。
【図面の簡単な説明】
【図１】本発明の陳列装置の一実施の形態を示す斜視図である。
【図２】左右一対の陳列台の斜視図である。
【図３】箱体の斜視図である。
【図４】十字状支受板の斜視図である。
【図５】支受台部の斜視図である。
【図６】箱体の斜視図である。
【図７】右側トレイの斜視図である。
【図８】右側トレイの組立手順を示す斜視図である。
【図９】左側トレイの斜視図である。
【図１０】左側トレイの組立手順を示す斜視図である。
【図１１】背板の正面図である。
【図１２】上面広告板の正面図である。
【図１３】上記上面広告板を下から見た図である。
【図１４】上記上面広告板の斜視図である。
【図１５】上記上面広告板の作用を示す説明図である。
【図１６】上記上面広告板の作用を示す説明図である。
【図１７】前面広告板の正面図である。
【図１８】スライド手段を示す正面図である。
【図１９】スライド手段を示す説明図である。
【図２０】上記陳列装置の組立要領を示す斜視図である。
【図２１】上記陳列装置の組立要領を示す斜視図である。
【図２２】上記陳列装置の組立要領を示す斜視図である。
【図２３】上記陳列装置の組立要領を示す斜視図である。
【図２４】上記陳列装置をカウンター陳列台として使用した状態を示す斜視図である。
【図２５】上記陳列装置を吊り下げタイプとして使用した状態を示す斜視図である。
【図２６】従来の陳列台を示す斜視図である。
【符号の説明】
１，２  陳列台
５  前面広告板
【図１】
0003656014.tif 000002
【図２】
0003656014.tif 000003
【図３】
0003656014.tif 000004
【図４】
0003656014.tif 000005
【図５】
0003656014.tif 000006
【図６】
0003656014.tif 000007
【図７】
0003656014.tif 000008
【図８】
0003656014.tif 000009
【図９】
0003656014.tif 000010
【図１０】
0003656014.tif 000011
【図１１】
0003656014.tif 000012
【図１２】
0003656014.tif 000013
【図１３】
0003656014.tif 000014
【図１４】
0003656014.tif 000015
【図１５】
0003656014.tif 000016
【図１６】
0003656014.tif 000017
【図１７】
0003656014.tif 000018
【図１８】
0003656014.tif 000019
【図１９】
0003656014.tif 000020
【図２０】
0003656014.tif 000021
【図２１】
0003656014.tif 000022
【図２２】
0003656014.tif 000023
【図２３】
0003656014.tif 000024
【図２４】
0003656014.tif 000025
【図２５】
0003656014.tif 000026
【図２６】
0003656014.tif 000027